(57)【要約】【課題】  ポンプ本体が設置される環境に影響を受けず、ノイズ混入も抑制する。【解決手段】  水質維持制御システムは、水質を維持すべき対象水の循環経路に薬液を注入するためのポンプ本体８と、対象水の水質を検出する水質センサ６と、この水質センサ６からのセンサ信号に基づいてポンプ本体８を駆動制御するコントローラ７と備えている。コントローラ７は、ポンプ本体８を直接駆動するための駆動回路１５を内臓し、ポンプ本体８とは分離された状態で設置されている。【選択図】  図２
2005262095.tif 000002
【特許請求の範囲】
【請求項１】
水質を維持すべき対象水の循環経路に薬液を注入するためのポンプ本体と、
前記対象水の水質を検出して検出された水質に応じたセンサ信号を出力する水質センサと、
この水質センサからのセンサ信号に基づいて前記ポンプ本体を駆動制御するコントローラと
を備えた水質維持制御システムにおいて、
前記コントローラは、前記ポンプ本体を直接駆動するための駆動回路を内臓し、前記ポンプ本体とは分離された状態で設置されている
ことを特徴とする水質維持制御システム。
【請求項２】
前記ポンプ本体は複数設けられ、
前記コントローラは、前記複数のポンプ本体のそれぞれに対応する複数の前記駆動回路を内蔵するものである
ことを特徴とする請求項１記載の水質維持制御システム。
【請求項３】
水質を維持すべき対象水の循環経路に薬液を注入するためのポンプ本体を制御するコントローラにおいて、
前記対象水の水質を検出する水質センサからのセンサ信号を入力し、この入力されたセンサ信号に基づいて前記ポンプ本体に対する駆動信号を求める演算処理部と、
この演算処理部で求められた駆動信号に基づいて前記ポンプ本体を駆動する駆動回路と
が内蔵されていることを特徴とする水質維持制御システムのコントローラ。
【発明の詳細な説明】
【技術分野】
【０００１】
本発明は、循環経路を循環する対象水の水質を制御するための水質維持制御システム及びそのコントローラに関する。
【背景技術】
【０００２】
生活用水、プール水、２４時間風呂水等では、それらの水質を維持するための水質維持制御システムが使用されている。例えば特許文献１には、プール水等の貯水の残留塩素及びｐＨの自動制御システムが開示されている。このシステムでは、貯水槽と熱交換機／濾過器との間の循環水ラインを循環する対象水に、塩素剤及びｐＨ調整剤を送液するための送液ポンプ１５，１６が設けられている。
【０００３】
一方、この種のシステムで使用される送液ポンプとしては、例えば特許文献２に開示されているような定量ポンプを使用することがある。このような定量ポンプは、ポンプ本体にポンプ仕様に応じて用意された制御ユニットを装着して定量ポンプが構成されている。この定量ポンプでは、制御ユニットを介してポンプ本体内の電磁コイルへの通電、その他の制御部分への通電が行われる。
【特許文献１】特開平７−２００７９１号公報（５頁右下欄１３行〜６頁右上欄４行、第１図）
【特許文献２】実開平５−２１１８７号公報（段落［００１９］、図１）
【発明の開示】
【発明が解決しようとする課題】
【０００４】
しかしながら、上述した特許文献１に開示された水質維持システムの送液ポンプに、特許文献２に開示された定量ポンプを組み合わせると、ポンプ本体に駆動回路を含む制御ユニットが装着されているため、ポンプ本体が設置される環境が高温多湿である場合、制御ユニットの制御回路や駆動回路に悪影響を及ぼすことがある。
また、このようにポンプ本体に制御ユニットが装着されていると、ポンプ本体から発生する電磁ノイズが制御ユニットに混入し、この制御ユニットに接続されているシステムコントローラにノイズが混入するという問題もある。
【０００５】
本発明は、このような点に鑑みなされたもので、ポンプ本体が設置される環境に影響を受けず、ノイズ混入も抑制することができる水質維持制御システム及びそのコントローラを提供することを目的とする。
【課題を解決するための手段】
【０００６】
本発明に係る水質維持制御システムは、水質を維持すべき対象水の循環経路に薬液を注入するためのポンプ本体と、前記対象水の水質を検出して検出された水質に応じたセンサ信号を出力する水質センサと、この水質センサからのセンサ信号に基づいて前記ポンプ本体を駆動制御するコントローラと備えた水質維持制御システムにおいて、前記コントローラは、前記ポンプ本体を直接駆動するための駆動回路を内臓し、前記ポンプ本体とは分離された状態で設置されていることを特徴とする。
【０００７】
また、本発明に係る水質維持制御システムのコントローラは、水質を維持すべき対象水の循環経路に薬液を注入するためのポンプ本体を制御するコントローラにおいて、前記対象水の水質を検出する水質センサからのセンサ信号を入力し、この入力されたセンサ信号に基づいて前記ポンプ本体に対する駆動信号を求める演算処理部と、この演算処理部で求められた駆動信号に基づいて前記ポンプ本体を駆動する駆動回路とが内蔵されていることを特徴とする。
【発明の効果】
【０００８】
本発明によれば、コントローラが、ポンプ本体を直接駆動するための駆動回路を内臓し、ポンプ本体とは分離された状態で設置されているので、制御回路及び駆動回路は、ポンプ本体が設置される環境の影響を受けることがなく、安定した動作が可能である。また、ポンプ本体がそれを駆動する駆動回路とは分離されて設置されているため、ポンプ本体からのノイズは、駆動回路に至るまでに減衰し、制御回路に悪影響を及ぼすことも防止することができる。
【発明を実施するための最良の形態】
【０００９】
以下、添付の図面を参照して、この発明の好ましい実施の形態を説明する。
図１は、本発明の一実施形態に係る水質維持制御システムの構成を示す図である。
【００１０】
例えば温泉風呂、プール、洗瓶槽等の貯水槽１に収容された水質を維持すべき対象水２は、大型渦巻きポンプ等の循環ポンプ３の駆動力により、主配管４を介して循環している。主配管４の循環ポンプ３の下流側（高圧側）から循環ポンプ３の上流側（低圧側）にかけて主配管４から分岐する分岐配管５が接続されている。そして、この分岐配管５に、水質センサ６が介挿され、分岐配管５内の検水中の水質を測定するようにしている。ここで、測定対象である水質としては、ｐＨ、酸化還元電位、電導度、溶存酸素、残留塩素、濁度等があり、従って水質センサ６は、ｐＨ計、酸化還元電位計、電導度計、溶存酸素計、残留塩素計、濁度計等である。水質センサ６で検出された水質に応じたセンサ信号は、コントローラ７に供給されている。
【００１１】
コントローラ７は、センサ信号に基づいて、対象水の水質を算出し表示すると共に、算出された水質に基づいて制御信号を出力する。この制御信号は、ポンプ本体８の駆動信号（駆動電流）となる。ポンプ本体８は、例えば塩素濃度制御であれば、次亜塩素酸ソーダ等の薬液を薬液タンク９から抜き出して、主配管４の循環ポンプ３及び分岐配管５の上流端の下流側に流れる対象水に定量注入する。このポンプ本体８としては、定量注入機能を有する電磁ポンプ、カスケードポンプ等を使用することができる。
【００１２】
コントローラ７は、例えば図２に示すように構成することができる。
水質センサ７からのセンサ信号は、まずアンプ回路１１で増幅され、演算処理部１２で水質が算出される。算出された水質は表示回路１３に表示される。信号出力回路１４は、水質センサ６を含めた各部に必要な信号を出力する。演算処理部１２は、算出された水質に応じて必要な制御信号を出力する。この制御信号により、駆動回路１５が制御される。駆動回路１５は、制御信号に基づいてポンプ本体８を駆動するため駆動電流をポンプ本体に供給する。なお、電源回路１６は、これらコントローラ７を構成する各回路へ電源電圧を供給するものである。
【００１３】
このように構成されたコントローラ７は、ポンプ本体８からは分離された位置、例えば遠隔位置に設置される。これにより、演算処理部１２及び駆動回路１５は、ポンプ本体８が設置される環境の影響を受けることがなく、安定した動作が可能になる。また、ポンプ本体８がそれを駆動する駆動回路１５とは分離されて設置されているため、ポンプ本体８からのノイズは、駆動回路１５に至るまでに減衰し、演算処理部１２に悪影響を及ぼすことも防止される。
【００１４】
前述したように、電磁ポンプ等の定量ポンプでは、その駆動回路はポンプ側に組み込まれており、コントローラ７がポンプの駆動回路に制御信号を出力する場合には、ポンプの機種毎にマッチングをとるための設定操作が必要であった。この点、本実施形態のシステムによれば、ポンプ本体８の駆動回路１５がコントローラ７側に組み込まれているので、例えば演算処理部１２で、ポンプ選択モードを設けてポンプの機種選択を行えるようにし、駆動回路１５は、選択されたポンプに応じた駆動電流を制御信号としてポンプ本体８に出力する、という処理が可能であるため、コントローラ７側で全ての操作が可能になる。また、ポンプの機種変更も容易であるという利点がある。
【００１５】
なお、本発明は上述した実施形態に限定されるものではない。例えば図３に示すように、異なる物理量を測定する複数の水質センサ６ａ，６ｂ，…と、それらを増幅するアンプ回路１１ａ，１１ｂ，…を設けても良いし、異なる薬液を注入するための複数のポンプ本体８ａ，８ｂ，…と、これらを駆動するための複数の駆動回路１５ａ，１５ｂ，…とを備えるようにしても良い。この場合には、コントローラ７側での集中コントロールの利点が更に増すことになる。
【図面の簡単な説明】
【００１６】
【図１】本発明の一実施形態に係る水質維持制御システムの構成を示す図である。
【図２】同システムにおけるコントローラの詳細を示すブロック図である。
【図３】本発明の他の実施形態に係る水質維持制御システムにおけるコントローラの詳細を示すブロック図である。
【符号の説明】
【００１７】
１…貯水槽、２…対象水、３…循環ポンプ、４…主配管、５…分岐配管、６，６ａ，６ｂ…水質センサ、７…コントローラ、８，８ａ，８ｂ…ポンプ本体、９…薬液タンク、１１，１１ａ，１１ｂ…アンプ回路、１２…演算処理部、１３…表示回路、１４…信号出力回路、１５，１５ａ，１５ｂ…駆動回路、１６…電源回路。
【図１】
2005262095.tif 000003
【図２】
2005262095.tif 000004
【図３】
2005262095.tif 000005